(57)【要約】【課題】接着強度を安定させた高い信頼性の電動送風機および電気掃除機を提供する。【解決手段】回転自在に設けられたシャフトと、前記シャフトの一端部に一体成形される希土類系のボンド磁石と、を有するロータを備え,前記ロータは、前記シャフトの他端部に取り付けられるインペラと、前記ボンド磁石と前記インペラとの間において前記シャフトに取り付けられるベアリングと、を有し、前記ベアリングを支持するベアリングカバーが設けられるハウジングを備え、前記ベアリングカバーは、前記ベアリングの外周Ｄｂとのクリアランスを有する接着部内径Ｄｄを備え（Ｄｄ＞Ｄｂ）、前部開口端の内径には前記接着内径Ｄｄよりも大きい段差部内径Ｄｅを備える（Ｄe＞Ｄd）。【選択図】図６
2018059451.tif 000002
【特許請求の範囲】
【請求項１】
回転自在に設けられたシャフトと、前記シャフトの一端部に一体成形される希土類系のボンド磁石と、を有するロータを備え,
前記ロータは、前記シャフトの他端部に取り付けられるインペラと、前記ボンド磁石と前記インペラとの間において前記シャフトに取り付けられるベアリングと、を有し、
前記ベアリングを支持するベアリングカバーが設けられるハウジングを備え、
前記ベアリングカバーは、前記ベアリングの外周Ｄｂとのクリアランスを有する接着部内径Ｄｄを備え（Ｄｄ＞Ｄｂ）、前部開口端の内径には前記接着内径Ｄｄよりも大きい段差部内径Ｄｅを備える（Ｄe＞Ｄd）電動送風機。
【請求項２】
請求項１に記載の電動送風機を備えた電気掃除機。
【発明の詳細な説明】
【技術分野】
【０００１】
本発明は、電動送風機および電気掃除機に関する。
【背景技術】
【０００２】
一般に、電気掃除機に用いられる電動送風機として、振動や騒音を低減するために、ＤＣブラシレスモータを用いたものが知られている。
【０００３】
従来技術として、例えば、特開2015-232276号公報（特許文献１）に開示されているものがある。特許文献１に開示されている電動送風機は、回転自在に設けられたシャフトと、シャフトに対して一体成形される希土類系のボンド磁石と、を有するロータを備える構成としており、ロータ組立体は、シャフト、ロータコア、ベアリング組立体、インペラを備えている。インペラの外径をＤｉとし、ベアリングの外径をＤｂとし、ベアリングカバーの最小内径をＤｃとし、希土類ボンド磁石の外径をＤｍとしたときに、Ｄｉ＞Ｄb＞Ｄc＞Ｄｍの関係を満たす構成としている。
【先行技術文献】
【特許文献】
【０００４】
【特許文献１】特開2015-232276号公報
【発明の概要】
【発明が解決しようとする課題】
【０００５】
特許文献１の電動送風機では、ベアリングは、ベアリングカバーに対して接着剤によって固定することができると記載されている。構造を小型とする場合、、それぞれの部品の寸法公差が小さく、嵌め合いのクリアランスが微小となり、組立てが難しくなる恐れがある。例えば、ロータ組立体の挿入時、ベアリング外周の接着剤が、ベアリングカバー内周部分と接触することで、接着剤の一部が削ぎ落され、接着場所の塗布量が不足してしまい、接着強度が低下する恐れがある。
【０００６】
本発明は、前記従来の問題を解決するものであり、接着強度を安定させた高い信頼性の電動送風機および電気掃除機を提供することを目的とする。
【課題を解決するための手段】
【０００７】
本発明の電動送風機は、回転自在に設けられたシャフトと、前記シャフトの一端部に一体成形される希土類系のボンド磁石と、を有するロータを備え,
前記ロータは、前記シャフトの他端部に取り付けられるインペラと、前記ボンド磁石と前記インペラとの間において前記シャフトに取り付けられるベアリングと、を有し、前記ベアリングを支持するベアリングカバーが設けられるハウジングを備え、前記ベアリングカバーは、前記ベアリングの外周Ｄｂとのクリアランスを有する接着部内径Ｄｄを備え（Ｄｄ＞Ｄｂ）、前部開口端の内径には前記接着内径Ｄｄよりも大きい段差部内径Ｄｅを備える（Ｄe＞Ｄd）。
【０００８】
また、本発明の電気掃除機は、前記電動送風機を備えて構成されることを特徴とする。
【発明の効果】
【０００９】
本発明によれば、ベアリングカバーは、ベアリングの外周Ｄｂとの微小なクリアランスを保った接着部内径Ｄｄ（Ｄｄ＞Ｄｂ）を形成し、前部開口端の内径には前記接着内径Ｄｄよりも大きい段差部内径Ｄｅを形成（Ｄe＞Ｄd）し、接着溜り部を設けたので、ベアリング外周に塗布した接着剤が挿入時に削ぎ落されても、その段差部に接着剤が溜まることになるので、ベアリングカバーとベアリングの接着強度を確保することができる。
【００１０】
本発明によれば、接着強度を安定させた高い信頼性の電動送風機および電気掃除機を提供することができる。
【図面の簡単な説明】
【００１１】
【図１】本実施形態の電動送風機が適用される電気掃除機の外観を示す外観斜視図である。
【図２】掃除機本体を模式的に示した断面図である。
【図３】本実施形態の電動送風機の断面図である。
【図４】電動送風機の一部を切り欠いて断面で表した斜視図である。
【図５】（ａ）はロータ組立体の側面図、（ｂ）はロータ組立体の断面図である。
【図６】（ａ）はハウジングへのロータ組立体の組み付けを示す説明図、（ｂ）はベアリングカバーの部分拡大断面図、（ｃ）は同じく組付後の様子を示す説明図である。
【図７】（ａ）〜（ｃ）はロータ組立体の組み立て手順を示す説明図である。
【発明を実施するための形態】
【００１２】
以下、本発明の実施形態について添付図面を参照して説明する。なお、電動送風機において、「前、後」を言うときは、図３に示す方向を基準としている。
【００１３】
図１に示すように、電気掃除機１は、掃除機本体２と、ホース３と、手元操作ＳＷ等が設けられた操作管４と、継手管としての延長管５と、第１、第２の吸込具６、７とを備えて構成されている。
【００１４】
掃除機本体２の内部には、図２に示すように、吸引力を発生させる電動送風機１０や、集塵室２ｃに配置され、電動送風機１０の吸引力で吸い込まれた塵埃を捕集する紙パック８（捕集部材）、さらには、紙パック８で塵埃を取り除かれた空気が通過するフィルター９等が配置されている。
【００１５】
電動送風機１０は、掃除機本体２の電動送風機室２ａに防振ゴム２ｂを介して収容される。図３に示すように、電動送風機１０は、ハウジング２０、ロータ組立体（ロータ）３０、ステータ組立体４０を備えている。
【００１６】
〔ハウジング〕
図３に示すように、ハウジング２０は、合成樹脂製であり、ロータ組立体３０を支持する支持部２１を有している。支持部２１は、略円筒状を呈しており、ハウジング２０の前部の内側に位置している。支持部２１の内側には、金属製からなる略円筒形状のベアリングカバー２２が固定されている。ベアリングカバー２２は、ハウジング２０（支持部２１）に一体成形されている。本実施形態では、ベアリングカバー２２をインサート品とするインサート成形によりハウジング２０を形成している。ベアリングカバー２２の内面には、ロータ組立体３０に備わるベアリング３６，３７が内嵌される（支持される）。
【００１７】
支持部２１の前端部には軸方向に延在するねじ穴２１ａが形成されている。ねじ穴２１ａには固定ねじ２１ｂが螺合可能である。支持部２１の前端部には、固定ねじ２１ｂの螺合によってディフューザ２５（静翼）が固定設置されている。
【００１８】
ハウジング２０の後部の外周面には、径方向に延在する延在部２３が形成されている。
延在部２３は、ハウジング２０の周囲に装着される外ケース２６の後端部を支持している。ハウジング２０の後部内空には、ステータ組立体４０が配置される空間が形成されている。
【００１９】
〔ロータ組立体〕
ロータ組立体３０は、図５（ａ）（ｂ）に示すように、シャフト３１、ロータコア３２、ベアリング組立体３３、インペラ３４を備えている。ロータコア３２、ベアリング組立体３３、インペラ３４は、シャフト３１に取り付けられている。
【００２０】
シャフト３１は、前後方向に延在しており、段付き円柱状に形成されている。ロータコア３２は、シャフト３１の一端部である後部３１ａ周りに形成されており、希土類系のボンド磁石からなる。希土類系のボンド磁石は、希土類系磁性粉末と有機バインダーとを混合して作られる。希土類系のボンド磁石としては、例えば、サマリウム鉄窒素磁石等を用いることができる。
【００２１】
ロータコア３２は、シャフト３１に一体成形されている。本実施形態では、インサート成形によりロータコア３２を成形している。つまり、ロータコア３２は、シャフト３１に対して従来のような接着剤の介在による隙間を有することなく一体に形成されている。なお、サマリウム鉄窒素磁石は、通常の（焼結型）フェライト磁石と比較しても磁力が強く、加工も容易であるので、小型で高速に回転することが要求される電気掃除機１の電動送風機１０として好適である。
【００２２】
なお、シャフト３１の後部３１ａの外周面には、ローレット加工が施されている。ローレット加工によって、ロータコア３２をシャフト３１に強力に結合することができる。
【００２３】
ベアリング組立体３３は、ロータ組立体３０をハウジング２０に固着させるための部材であり、ロータコア３２とインペラ３４との間に配置される。ベアリング組立体３３は、一対のベアリング３６，３７と、スペーサ３８と、ばね３９とを備えている。
【００２４】
一対のベアリング３６，３７は同一のものを用いている。スペーサ３８は、円筒形であり一対のベアリング３６，３７を予め設定された距離に隔てる役割をなす。ばね３９は、スペーサ３８を包囲するコイルばねであり、圧縮された状態で配置され、各ベアリング３６，３７の外輪にそれぞれ当接して予圧を付与している。
【００２５】
インペラ３４は、合成樹脂製であり、シャフト３１の他端側である前部に直結されている。インペラ３４は、遠心力を利用する遠心型羽根車であり、高速回転になるとインペラ３４内で圧力上昇が大きくなり、外ケース２６の蓋部２６ｂに開口形成された吸込部２６ｃから空気を吸い込む。吸い込まれた空気は、インペラ３４（図３，図４参照）を通じて外周側に高速の空気流となって吐出される。インペラ３４から吐出された空気流は、ディフューザ２５に導かれる。ディフューザ２５は、インペラ３４から吐出された空気流を外周方向に導くディフューザ流路を形成している。ディフューザ流路を通過した空気流は、図４に示すように、ハウジング２０と外ケース２６（胴部２６ａ）との空間Ｓ１に導かれ、導出口２３ａから電動送風機１０の外部に導出される。導出口２３ａは、ハウジング２０の延在部２３に形成されている。
【００２６】
なお、空間Ｓ１に導かれた空気流は、ハウジング２０のスリットＳ２を通じてハウジング２０内に流入し、ロータコア３２とステータ組立体４０との間や、ステータ組立体４０の図示しない導線の間を通じて、電動送風機１０の外部に導出される。これによって、ハウジング２０内の各部が冷却される。
【００２７】
インペラ３４の中心部には、焼結等により形成された金属製の支持スリーブ３４ａが取り付けられている。支持スリーブ３４ａは、シャフト３１が圧入される内周面を有している。このような支持スリーブ３４ａはインペラ３４にインサート成形されている。インペラ３４は、支持スリーブ３４ａにシャフト３１を圧入することで、シャフト３１の前部に固着される。
【００２８】
〔ステータ組立体〕
ステータ組立体４０は、図３に示すように、ハウジング２０の後部内空に配置される。
ステータ組立体４０は、ロータコア３２の対向側に配置されたステータコア４１を備える。ステータコア４１の周りには、図示しない導線が巻かれ、一緒になって相巻線を形成する。相巻線は、電動送風機１０に備わる図示しない回路部に電気的に接続される。
【００２９】
以上のような電動送風機１０において、図６に示すように、インペラ３４の外径（底部３４ｃの外径）をＤｉとし、ベアリング３６，３７の外径をＤｂとし、ベアリングカバー２２の最小内径をＤｃとし、ロータコア３２の外径をＤｍとしたときに、これらの関係が、Ｄｉ＞Ｄｂ＞Ｄｃ＞Ｄｍとなるように設定されている。
【００３０】
このように、インペラ３４の外径Ｄｉよりもベアリング３６，３７の外径Ｄｂが小さく、外径Ｄｂよりもベアリングカバー２２の最小内径Ｄｃ（一端開口２２ａの開口縁２２ｂの内径、図６（ｂ）参照）が小さく、さらに最小内径Ｄｃよりもロータコア３２の外径Ｄｍが小さくなっているので、ベアリングカバー２２内に挿入されたロータコア３２は、一端開口（後部開口）２２ａ（図３参照）の最小内径Ｄｃの部分を通り抜けて、ステータ組立体４０の内側に挿通される。
【００３１】
ベアリングカバー２２は、一端開口（後部開口）２２ａと、開口縁２２ｂと、接着部２２ｄと、段差部２２ｃと、他端開口（前部開口）２２ｅと、を備える。接着部２２ｄは、ベアリング３６，３７の外周Ｄｂとの微小なクリアランスを有する接着部内径Ｄｄを備える（Ｄｄ＞Ｄｂ）。段差部２２ｃは、他端開口（前部開口）２２ｅから接着部２２ｂまでの間に設けられ、前記接着部内径Ｄｄよりも大きい段差部内径Ｄｅを備える（Ｄe＞Ｄd）。この段差部２２ｃを接着溜り部として設けている。本実施例では、ベアリングカバー２２の接着部内径Ｄｄとベアリング３６，３７の外周Ｄｂとのクリアランスは0.025mm、ベアリングカバー２２の接着部内径Ｄｄと段差部２２ｃの段差部内径Ｄｅは0.025mm、段差部２２の軸方向の長さはベアリング３６，３７の軸方向の長さの約半分としている。
【００３２】
これとともに、ベアリング組立体３３が、ベアリングカバー２２内に挿入され、後部側のベアリング３６がベアリングカバー２２の開口縁２２ｂに内側（前側）から当接して、開口縁２２ｂに位置決めされる（図６（ｃ）参照）。
【００３３】
一方、前部側のベアリング３７は、ベアリングカバー２２の他端開口（前部開口）の段差部２２ｃの一部と接着部２２ｄの一部に位置する。
【００３４】
次に、ロータ組立体３０の製造および組み付けについて説明する。
【００３５】
はじめに、図７（ａ）に示すように、インサート成形によってシャフト３１の後部３１ａにロータコア３２を一体成形する。この際、磁界を掛けながらインサート成型することで、ロータコア３２へ着磁のための配勾を持たせる。また、これとは別に支持スリーブ３４ａをインサート品とするインサート成形によってインペラ３４を成形する。
【００３６】
その後、図７（ｂ）に示すように、シャフト３１の中央外周面３１ｃにベアリング組立体３３を取り付ける。この場合、後部側のベアリング３６をシャフト３１に圧入固定し、スペーサ３８とばね３９とを組み付けた後に、前部側のベアリング３７を圧入固定する。
後部側のベアリング３６はシャフト３１の突状部３１ｂによって所定位置に位置決めされる。
【００３７】
その後、図７（ｃ）に示すように、スペーサ３５を介在させてシャフト３１の前部をインペラ３４の支持スリーブ３４ａに圧入し、締りバメにてインペラ３４をシャフト３１に固定する。インペラ３４は、支持部３４ｂの内面がシャフト３１の前部の傾斜部３１ｅ、小径部３１ｄに当接してシャフト３１の前部に位置決めされる。
【００３８】
以上によってロータ組立体３０が組み立てられる。
【００３９】
なお、図５（ｂ）に示すように、支持スリーブ３４ａは、インペラ３４の底部３４ｃに近い位置に配置されてシャフト３１に固着される。これによって、底部３４ｃとシャフト３１の中心との交点Ｙ１を中心として生じるおそれのあるブレ（図中矢印Ｘ１方向のインペラ３４のブレ）が好適に抑えられる。
【００４０】
次に、ロータ組立体３０の回転バランスを調整する。調整には、専用の治具を用い、ロータ組立体３０を実際に高速で回転させてバランスを見る。例えば、アンバランス部分を削る等してバランスを調整する。また、この時点でまだ着磁を行っていないため、ロータコア３２を削り、バランスを取ることも可能である。
【００４１】
バランスを調整し終えたら、着磁を行い、ロータコア３２に磁力を持たせる。着磁を終えたら、ハウジング２０にロータ組立体３０を組み込む。つまり、ロータ組立体３０は、バランスを調整されてからハウジング２０に組み込まれるので、バランスがよい状態を維持したまま、電動送風機１０を組み立てることができる。
【００４２】
なお、ハウジング２０には、図６（ａ）に示すように、ディフューザ２５を予め固定しておき、ディフューザ２５を通じてロータ組立体３０をハウジング２０に挿入する。
【００４３】
ロータ組立体３０とベアリングカバー２２とは、前記したように、インペラ３４の外径Ｄｉよりもベアリング３６，３７の外径Ｄｂが小さく、外径Ｄｂよりもベアリングカバー２２の最小内径Ｄｃが小さく、さらに最小内径Ｄｃよりもロータコア３２の外径Ｄｍが小さくなっているので、ロータ組立体３０をハウジング２０（ベアリングカバー２２）にスムーズに組み付けることができる（図６（ｃ）参照）。
【００４４】
ベアリング３６，３７は、ベアリングカバー２２に対して接着剤によって固定することができる。
【００４５】
ベアリング３６，３７とベアリングカバー２２の接着作業は次のように行う。
【００４６】
前部側のベアリング３７の外周面に接着剤を塗布し、ロータ組立体３０をベアリングカバー２２に挿入し、後部側のベアリング３６がベアリングカバー２２の開口縁２２ｂに内側（前側）から当接して、開口縁２２ｂによって位置決めされ、硬化開始される。
【００４７】
このとき、ベアリング３６、３７の外周とベアリングカバー２２とのクリアランスを0.025mmと小さいものとする場合、ロータ組立体３０を斜めに挿入してしまった場合など、ベアリング３６，３７の外周面に塗布した接着剤の一部を削ぎ落し、接着強度にばらつきが生じる恐れがある。
【００４８】
しかし、本実施形態の電動送風機１０によれば、ベアリングカバー２２の一端側に段差を設けて段差部（接着溜り部）２２ｃを形成したので、ベアリング３７の外周に塗布した接着剤の一部が挿入時に削ぎ落されても、その段差部２２ｃに接着剤が溜まり、段差部２２ｃでのベアリング３７とベアリングカバー２２との硬化と、接着部２２ｄでのベアリング３７とベアリングカバー２２との硬化が行われることになるため、ベアリングカバー２２とベアリング３７の接着強度を確保することができる。
【００４９】
なお、後部側のベアリング３６の接着は、ベアリングカバー２２の開口縁２２ｂの切欠き部から、接着剤を滴下して浸透させ、自然放置により硬化を行うため、接着剤が削ぎ落とされる恐れはない。
【００５０】
したがって、接着強度を安定させた高い信頼性の電動送風機１０および電気掃除機を提供することができる。
【００５１】
なお、段差部２２ｃの軸方向の長さは、ベアリング３７の軸方向の長さの約半分であるため、軸心がずれることもない。したがって、振動および騒音の低減を図ることができる電動送風機１０が得られる。
【００５２】
また、ベアリングカバー２２の段差部２２ｃの表面粗さを大きくしてもよい。表面粗さを大きくすることにより、接着面積を増加することができ、強力に接着することができるので、ベアリングカバー２２に対するロータ組立体３０の位置ずれを防止できる。
【符号の説明】
【００５３】
１      電気掃除機
１０    電動送風機
２０    ハウジング
２２    ベアリングカバー
２２Ｃ  段差部
３０    ロータ組立体（ロータ）
３１    シャフト
３２    ロータコア（ボンド磁石）
３３    ベアリング組立体
３４    インペラ
３６、３７    ベアリング
４０    ステータ組立体
４１    ステータコア
Ｄｉ    インペラの外径
Ｄｂ    ベアリングの外径
Ｄｃ    ベアリングカバーの最小内径
Ｄｄ    ベアリングカバーの接着面内径
Ｄｅ    ベアリングカバーの段差部内径
Ｄｍ    ロータコアの外径
【図１】
2018059451.tif 000003
【図２】
2018059451.tif 000004
【図３】
2018059451.tif 000005
【図４】
2018059451.tif 000006
【図５】
2018059451.tif 000007
【図６】
2018059451.tif 000008
【図７】
2018059451.tif 000009